(57)【要約】【課題】  多層基板のピン打込み用孔の距離と案内ピンの間隔を正確に合わせることは容易ではなく、案内ピンの間隔の調整に多くの工数を使用していた。ピン打込み用孔の位置に対して、案内ピンの間隔が正確に合わない場合には、無理な打込みがおこなわれるためにピン打込み用孔に傷が発生し、挿通されたピンの位置が狂うのでＮＣ機械が正確な位置決めが出来ないために不良品が発生するという問題があった。【解決手段】本発明は、多層基板用のピン打ち装置において、案内ピン挿通機の位置を微動できるようにした案内ピンスライド機構を設け、案内ピン挿通機を多層基板の一対のピン打込み用孔の位置に対応した所定の間隔に設定した後に、案内ピンをワークテーブル上に突出させ、この案内ピンにより多層基板の孔を嵌合させることにより多層基板のピン打込み用孔の位置を自動的に正確に設定されるようにして問題点を解決したものである。【選択図】              図１
2005347368.tif 000002
【特許請求の範囲】
【請求項１】
多層基板に予め開けられているピン打込み用孔に位置決め用ピンを打ち込むためのピン打ち装置において、
水平移動機構によって移動可能に構成され、移動後その位置を微動できるようにしたスライド機構が設けられているピン打ち装置ユニットを具備し、
ピン打ち装置ユニットの案内ピンがスライド機構により、多層基板のピン打込み用孔にならって微動し正確にピン打ち位置の設定を行うようにしたことを特徴とする多層基板用ピン打ち装置。
【請求項２】
多層基板に予め開けられているピン打込み用孔に位置決め用ピンを打ち込むためのピン打ち装置において、
ワークテーブル上部に設けられたピン打ち機と、ワークテーブル下部のピン打ち機の直下に設けられ、垂直移動機構によってピン打ち機の方向に垂直移動し案内ピンをワークテーブルの上面に突出できるように構成された案内ピン挿通機を持ち、水平移動機構によって移動可能に構成され、移動後その位置を微動できるようにしたスライド機構が設けられているピン打ち装置ユニット、
を具備し、
案内ピンをワークテーブル上に突出させ、突出した案内ピンがスライド機構により、多層基板のピン打込み用孔にならって微動し正確にピン打ち位置の設定を行うようにしたことを特徴とする多層基板用ピン打ち装置。
【請求項３】
多層基板に予め開けられているピン打込み用孔に位置決め用ピンを打ち込むためのピン打ち装置において、
ワークテーブル上部に設けられたピン打ち機と、ワークテーブル下部のピン打ち機の直下に設けられ、垂直移動機構によってピン打ち機の方向に垂直移動し案内ピンをワークテーブルの上面に突出できるように構成された案内ピン挿通機を持ち、水平移動機構によって移動可能に構成され、移動後その位置を微動できるようにしたスライド機構が設けられているピン打ち装置ユニット、
を一対或いは複数個具備し、
各案内ピンをワークテーブルの上面に突出させ、突出した各案内ピンがスライド機構により、多層基板の各ピン打込み用孔にならって微動し正確にピン打ち位置の設定を行うようにしたことを特徴とする多層基板用ピン打ち装置。
【請求項４】
請求項１乃至3において、案内ピンに多層基板を複数枚重ねて各多層基板のピン打込み用孔にスライド機構により嵌合させることを特徴とする多層基板用ピン打ち装置。
【請求項５】
請求項１乃至3において、ピン打ち装置ユニットのスライド機構は、送り螺子４によりその軸方向に移動される螺子ナットを、ナットハウジングによりスライド可能に保持し、移動時にはナット固定機構により螺子ナットのフランジがナットハウジングに押厚固定されように構成したことを特徴とする多層基板用ピン打ち装置。
【発明の詳細な説明】
【技術分野】
【０００１】
本発明は、多層プリント回路基板に基準となる位置決め用ピンを打打ち込む多層基板用ピン打ち装置に関するものである。
本発明の多層基板用ピン打ち装置は、多層プリント回路基板を一枚又は、複数枚を重ねた状態で位置決め用ピンを基板に打ち込む場合に、基板に予め開けられているピン打込み用孔の位置にならって案内ピン挿通機が自動的に移動して位置合わせが行われるようにしたものである。
【背景技術】
【０００２】
多層プリント回路基板(以下、多層基板と称する)では、その表面から裏面にかけて貫通する複数の孔（スルーホール）をあけこれを鍍金して電気回路の接続部として使用している。
この多層基板のスルーホールの加工には、数値制御方式の自動加工機（ＮＣ機械）を使用して多層基板を一枚または、複数枚を重ねた状態で穴あけが行われており、ＮＣ機械の所定位置に多層基板を固定するための位置決め用ピンが使用されている。多層基板の位置決め用ピンは、通常基板の対向する両側の縁辺傍の位置に立てられ、これをＮＣ機械側の孔に挿入することによって正確な位置決めを行うようにしている。
位置決め用ピンを多層基板に立てるためには、図３の（ａ）に示すように、あらかじめ多層基板Ｂに開けられているピン打込み用孔Ｈ1，Ｈ2に案内ピンを挿通して複数枚の多層基板のピン打込み用孔位置を揃えた後、図3の（ｂ）に示すように位置決め用ピンＰ1，Ｐ2を打込むようにしており、この位置決め用ピンによって多層基板の回路の適正な位置決めが行われている。図3の（ｃ）は、多層基板Ｂを複数枚重ねてピンを打ち込んだ状態の断面図である。
【０００３】
【特許文献１】実開平０４−５３２４号公報，
【特許文献２】特開平０９−１４２８号公報，
【発明の開示】
【発明が解決しようとする課題】
【０００４】
図3に示すように、多層基板に位置決め用のピンＰ1，Ｐ2を立てるためには、多層基板の対向両側縁辺傍に、予め開けられている一対のピン打込み用孔Ｈ1，Ｈ2に、ピンＰ1，Ｐ2の位置を正確に合わせる必要がある。このため、従来はピン打装置の位置決め用の案内ピンを人手、或いは機械制御によって多層基板のピン打込み用孔の位置に正確に合わせる調整を行っていた。
しかしながら、多層基板のピン打込み用孔の距離と案内ピンの間隔を正確に合わせることは容易ではなく、案内ピンの間隔の調整に多くの工数を使用していた。
多層基板のピン打込み用孔の位置に対して、案内ピンの間隔が正確に合わない場合には、その間隔が広くても、狭くても無理な打込みがおこなわれるために多層基板のピン打込み用孔に傷が発生し、多層基板に挿通されたピンの位置が狂うのでＮＣ機械が正確な位置決めが出来ないために不良品が発生するという問題があった。
【課題を解決するための手段】
【０００５】
本発明は、多層基板に予め開けられているピン打込み用孔に位置決め用ピンを打ち込むためのピン打ち装置において、
ワークテーブル上部に設けられたピン打ち機と、ワークテーブル下部のピン打ち機の直下に設けられ、垂直移動機構によってピン打ち機の方向に垂直移動し案内ピンをワークテーブルの上面に突出できるように構成された案内ピン挿通機を持ち、水平移動機構によって移動可能に構成され、移動後その位置を微動できるようにしたスライド機構が設けられているピン打ち装置ユニット、を具備し、
ピン打ち装置ユニットを多層基板のピン打込み用孔の位置に対応した所定の位置に水平移動機構によって移動した後に、垂直移動機構によってピン打ち機の方向に垂直移動し案内ピンをワークテーブル上に突出させ、この突出した案内ピンに多層基板のピン打込み用孔をスライド機構により嵌合させて多層基板をワークテーブル上に設置することにより多層基板のピン打込み用孔の位置をスライド機構により自動的に正確に設定するようにしたことを特徴とする多層基板用ピン打ち装置を実現することにより従来の問題を解決したものである。
【発明の効果】
【０００６】
本発明の多層基板のピン打ち装置は、予めピン打込み用孔があいている多層基板に対して案内ピン挿通機の位置をラフに合わせても、正確にピン打込み用孔に位置決め用ピンを挿通することができるので、案内ピンの間隔の調整に要する工数が大幅に節減でき作業性が向上する。
又、本発明の多層基板用ピン打ち装置によりピン打込の行われた多層基板は、ピン打込み用孔の位置に対して、案内ピンの間隔が正確に合わされるため、多層基板のピン打込み用孔に傷が発生することが無く、機械が正確な位置決めが出来るので不良品が発生することが防止される。
【発明を実施するための最良の形態】
【０００７】
以下に本発明の具体的な構成について図面を使用して詳細に説明する。
第１図は、本発明の多層基板用ピン打ち装置の概略構成を説明する平面図である。
図１において、１はワークテーブル、ＨＬはワークテーブル設けられたピン打ち装置のユニットを水平移動させるための移動孔である。ＰＵ１，ＰＵ２はワークテーブル１の移動孔ＨＬ中設置されたピン打ち装置ユニットで、図示す例では所定の間隔をあけて２個設けられている．ピン打ち装置ユニットＰＵ１，ＰＵ２はガイドレールにより水平方向に移動自在に掛止れている。ピン打ち装置ユニットＰＵ１，ＰＵ２はワークテーブル１上部に設けられたピン打ち機とピン打ち機の直下のワークテーブル下部に設けられた案内ピン挿通機を持ち、水平移動機構によって移動孔ＨＬ中を所定間隔に見合うストロークで移動可能に構成されている。ピン打ち装置ユニットＰＵ１，ＰＵ２は、その位置を微動できるようにした案内ピンスライド機構を備えている。
尚、使用の形態によっては、ピン打ち装置ユニットＰＵ１，ＰＵ２の一方だけに位置を微動できるようにした案内ピンスライド機構を設けるようにすることも可能である。
また、ピン打ち装置ユニットＰＵ１，ＰＵ２の案内ピン挿通機は垂直移動機構によってピン打ち機の方向に垂直移動し案内ピンをワークテーブル１の上面に突出できる構成になっている。
Ｂは多層基板で、一対のピン打込み用孔Ｈ１，Ｈ２が多層基板の対向両側の縁辺傍に、予め開けられている。
【０００８】
本発明の多層基板用ピン打ち装置においては、案内ピン挿通機を多層基板の一対のピン打込み用孔Ｈ１，Ｈ２の位置に対応した所定の間隔に設定した後に、垂直移動機構によってピン打ち機の方向に垂直移動し案内ピンをワークテーブル上に突出させる。この突出した案内ピンに多層基板のピン打込み用孔Ｈ１，Ｈ２を嵌合させて多層基板をワークテーブルＷＴ上に設置することにより多層基板のピン打込み用孔の位置を自動的に正確に設定出来るように構成されている。
この位置を自動的設定した後に、ワーク押えパットを下降させて基板Ｂをクランプし、ついで案内ピンを下降させて基板より抜き出し、その後ピン打ち機構を下降させてピンを基板に対して打ち込むようにして多層基板に正確にピン打ちを行うようにしたものである。
尚、上記の説明では、多層基板のピン打込み用孔が一対のものの例について説明したが、多層基板の形状によりピン打込み用孔が複数個あけられている基板に対してはピン打ち装置ユニットは基板のピン打込み用孔に対応して複数個使用される。
【０００９】
次に、図１に示した多層基板用のピン打ち装置の具体的な構成について説明する。
図２は図１に示した多層基板用のピン打ち装置の具体的な構成を示す説明図である。
図２において、１はピン打ち装置のワークテーブル、２はワークテーブル１に設けられたピン打ち込みユニットである。
３はピン打ち込みユニットを移動させる送り螺子ナット、４は送り螺子である。
２１はピン打ち込みユニットが搭載されるスライド板である。スライド板２１は案内レール１１によりワークテーブル１と同一平面に可動的に取り付けられている。
２２はピン打ち込みユニットの機能部品が取り付けられるフレームである。２３はピン打ち込み機、２４は案内ピン挿通機である。
ピン打ち込み機２３と案内ピン挿通機２４は、案内ピン挿通機の直上にピン打ち機構を配置されるような位置関係の状態でフレーム２２に取り付けられてピン打ち装置ユニットを構成している。
【００１０】
ピン打ち込み機２３には多層基板をワークテーブルlの平面に押庄固定する機能を果たすクランプ機構を備えている。
案内ピン挿通機２４は垂直移動機構によってピン打ち込み機２３の方向に垂直移動し案内ピンをワークテーブル１の上面に突出できる構成になっている。
尚、案内ピン挿通機２４の垂直移動機構には、常時は案内ピンをスプリングの力によりワークテーブル１の上面に突出させておき、ピン打ち時にピン打ち込み機２３のピンの圧力によりワークテーブル１の下面に押し下げられる構成のものを使用することも出来る。
２５はナットハウジング、２６はナット固定機構である。
ナットハウジング２５、ナット固定機構２６はフレーム２２に取り付けられている。
ナットハウジング２５は、螺子ナット３を送り螺子４の軸方向にスライド可能に保持しするスライド機構を構成しおり、移動時にはナット固定機構２６により螺子ナット３のフランジがナットハウジング２５の側面に押厚固定され、送り螺子４により螺子ナット３が駆動されるとそれに応じてフレーム２２を移動するように機能する。
３１はスライドピンで、螺子ナット３のフランジとナットハウジング２５との間に装着され、ナット固定機構２６が螺子ナット３の固定を解除した時に螺子ナット３とフレーム２２のスライド間隔を規制している。
【００１１】
このように構成された、多層基板用のピン打ち装置の動作を以下に説明する。
まず、ピン打ち込みユニット２２を水平移動機構によってピン打ちを行う多層基板のピン打込み用孔の近傍の位置まで移動させた後に停止させる。
次に、ピン打ち込みユニット２の案内ピン挿通機２４の垂直移動機構によってピン打ち込み機２３の方向に垂直移動し案内ピンをワークテーブル１の上面に突出させる。
ナット固定機構２６により螺子ナット３の固定を解除して螺子ナット３とフレーム２２がスライド可能にする。
案内ピンが突き出した状態で、多層基板のピン孔をそのワークテーブル面上から来出している案内ピンに勘合して挿入する。
この時、多層基板のピン孔の中心と案内ピンの中心が多少ずれていても、案内ピン挿通機の進退機構がスライド可能の状態に有るので、案内ピン挿通機が多層基板のピン孔の中心と案内ピンの中心が一致するような位置に移動するので、多層基板のピン孔に案内ピンを勘合することにより自動的に正確な位置合わせが行われる。
この場合、案内ピンに多層基板を複数枚重ねて勘合することにより複数の多層基板の位置合わせが自動的に行われ作業効率が向上する。
【００１２】
案内ピン挿通機２４の案内ピンの中心が多層基板のピン孔の中心と一致し後、打ち込み機２３のクランプで多層基板をワークテーブル１上に固定する．
続いて、案内ピン挿通機２４の案内ピンを下降させて元の位置に復帰させた後、ワークテーブル直上のピン打ち機２３を動作させ、位置決め用ピンを多層基板のピン孔に打込んで起立させることにより多層基板のピン孔にピンが固定される。
尚、案内ピン挿通機２４の案内ピンが、常時はスプリングの力により、ワークテーブル上に出ている構成の場合には案内ピンを下降させることなくピン打ち機２３を動作させ、位置決め用ピンの打込時の力により位置決め用ピンの打込時にだけ案内ピンが下降するような動作が行われる。
上記の説明においては、ワークテーブル上部にピン打ち機が設けられ、ワークテーブル下部に案内ピン挿通機が設けられた多層基板のピン打ち装置の実施例について説明を行ったが、本発明は、ワークテーブル上部に案内ピン挿通機設を設けた構成の多層基板のピン打ち装置にも適用することが可能である。
本発明の多層基板のピン打ち装置は、予めピン打込み用孔があいている多層基板に対して案内ピン挿通機の位置をラフに合わせても、正確にピン打込み用孔に位置決め用ピンを挿通することができるので、案内ピンの間隔の調整に要する工数が大幅に節減でき作業性が向上する。
又、本発明の多層基板用ピン打ち装置によりピン打込の行われた多層基板は、ピン打込み用孔の位置に対して、案内ピンの間隔が正確に合わされるため、多層基板のピン打込み用孔に傷が発生することが無く、機械が正確な位置決めが出来るので不良品が発生することが防止される。
【産業上の利用可能性】
【００１３】
本発明は、電子産業やプリント基板を使用する各種の産業で利用可能である。
【図面の簡単な説明】
【００１４】
【図１】本発明の本発明の多層基板用ピン打ち装置の概略構成を説明する平面図である。
【図２】図１に示した多層基板用のピン打ち装置の具体的な構成を示す説明図である。
【図３】位置決め用ピンを多層基板に立てるための手順を説明した図である。
【符号の説明】
【００１５】
Ｂ・・・多層基板，
Ｈ1，Ｈ２・・・多層基板のピン打込み用孔，
Ｐ1，Ｐ２・・・位置決め用ピン，
ＨＬ・・・ワークテーブル設けられた移動孔，
ＰＵ１，ＰＵ２・・・ピン打ち装置ユニット，
１・・・ピン打ち装置のワークテーブル，
２・・・２はワークテーブル１に設けられたピン打ち込みユニット，
３・・・ピン打ち込みユニットを移動させる送り螺子ナット，
４・・・送り螺子，
２１・・・ピン打ち込みユニットが搭載されるスライド板，
１１・・・案内レール，
２２・・・ピン打ち込みユニットの機能部品が取り付けられるフレーム，
２３・・・ピン打ち込み機、
２４・・・案内ピン挿通機，
２５・・・ナットハウジング，
２６・・・ナット固定機構，
３１・・・スライドピン，
【図１】
2005347368.tif 000003
【図２】
2005347368.tif 000004
【図３】
2005347368.tif 000005